(57)【要約】      （修正有）【課題】足踏みによって足裏に刺激を加えて、身体の対応した臓器などへの体液・血液などのスムースな循環を促す足踏み器において、人間の手指で押圧刺激を加えたと同様の感触、刺激、効果を得る。【解決手段】少なくとも足裏に当たる複数のツボ刺激部分１０、１１を高弾性ゴム素材による半球形状となし、本体部分２０によって足裏の主なツボに当たるように位置決めすることによって、人間の手指が力を込めて押圧したときと同様の刺激を得るようになした。【選択図】図１
2011004975.tif 000002
【特許請求の範囲】
【請求項１】
自分で足踏みをすることによって足裏のツボを刺激して体液の流通を促し体調を整える足踏み指圧具であって、少なくとも足裏の指の付け根部分に当たるツボ押しの凸部分は半径７mm以上１２mm以下の独立した概ね半球形状である４個ないし５個のツボ押し部を有し、さらにそれ以外の足裏土踏まずなどの部分に相対する凸部分は半径１０mm以上１８mm以下の独立した概ね半球形状の複数のツボ押し部を有し、これらのツボ押し部はいずれも硬さ５０ないし１００(JIS Hs)の天然ゴム、スチレンブタジエンゴム、シリコンゴムなどの硬質ゴム材質よりなり、それらのツボ押し部は概ね足裏のツボ分布にあわせて位置決めされてなる足踏み指圧具。
【請求項２】
上記請求項１．の足踏み指圧具は、ツボ押し部分が硬質ゴム材質の概ね球体であり、それらを布や軟性プラスチックシートによって被ってから、それぞれの位置に固定されるように接着あるいは縫製により位置決めしたことを特徴とする足踏み指圧具。
【請求項３】
上記請求項１．の足踏み指圧具は、それぞれの突起部の繋ぎの部分を含めてゴムの一体成形によって作られていることを特徴とする足踏み指圧具。
【請求項４】
上記請求項１、２および３．のそれぞれの足踏み指圧具は、左右用のツボ押し部分がお互いに対称形に配置された二つの足踏み部と、それらをつなぐためのより柔軟な架橋部を有することを特徴とする足踏み指圧具。
【発明の詳細な説明】
【技術分野】
【０００１】
本発明は、自分で足踏み運動することにより、足裏の刺激を効率的に行え、健康維持或いは改善に効果のある足踏み指圧具に関する。
【背景技術】
【０００２】
足の裏の刺激によって内蔵などの血流が促進され疲労が回復したり、病気が快癒するということは古来より知られており、そうした効果を得るための足踏み具は踏み竹などとして健康維持や改善に役立つ道具として親しまれ広く使われている。
一方で、東洋の指圧施術や西洋のリフレクソロジーなどのように、足裏に指による指圧刺激を加えて疲労回復や健康維持をはかる足裏マッサージも行われている。
【０００３】
一般的に、専門の施術師の手指による足裏マッサージは効果も高く施術されたときの気持ちも良いが、他人の協力を必要とするために気軽には行えず、他方足踏み指圧具は自分一人で好きなときに行えるという便利さがあるが、刺激が手指によるものとは異なるために効果も気持ちよさも手指によるものよりも劣る。
【先行技術文献】
【特許文献】
【０００４】
【特許文献１】特開２００１−２９４２５号公報
【発明の開示】
【発明が解決しようとする課題】
【０００５】
前記のように従来の足踏み指圧具は他人に施術を依頼しないでも好きなときにいつでも使えるという便利さがあるが、その一方で専門の施術師による指圧施術に比べて、気持ちよさが足りず、使用が長続きしないという問題があった。
【０００６】
本発明が解決しようとする問題点は前記に鑑みて、誰にでも簡単に使えて、専門の施術師の手指によるような気持ちよさと、またその効果も手指の刺激に近いため使用が長続きし、疲労回復や健康改善に効果の高い足踏み指圧具を提供することにある。
【課題を解決するための手段】
【０００７】
本発明は、従来の指圧具が竹や硬質プラスチックなどの人体の肉組織に比べて硬質な材料によって作られていたり、あるいは、特許文献１．のように軟質製のスポンジなどを用いて作られたりしているが、これらで足裏などの人体を押したときには人間の手指による指圧とは異なる感触になってしまうことに注目し、人間の手指に力を込めて押したときの弾力に最も近い材質を選ぶことによって、手指の施術に近い感触と効果を得ようとするものである。
【発明の効果】
【０００８】
本発明の足踏み指圧具は、人間の指で力を入れて押したときに得られると同等の弾性の高弾性のゴムを用い、先端形状を人間の手指（親指）とほぼ同形状の球状となす事により、通常は踏んでも痛くはなく丁度よい刺激が得られるものである。
【０００９】
また、このような形状と弾力を持たせることにより、同じ体重で踏んでも健康時には痛みを感じないものの、内臓などに疾患があったり疲れがあった場合には通常よりも痛く感じることにより、使い慣れれば体調の自己管理の指針とすることも可能である。
【図面の簡単な説明】
【００１０】
【図１】図１は本発明の足踏み指圧具の断面を示す説明図である。（実施例１）
【図２】図２は本発明の足踏み指圧具の平面を示す説明図である。（実施例１）
【図３】図３は本発明の足踏み指圧具の第２の実施例の断面を示す説明図である。（実施例２）
【図４】図４は本発明の足踏み指圧具の第３の実施例の断面を示す説明図である。（実施例３）
【図５】図５は本発明の足踏み指圧具の第４の実施例の断面を示す説明図である。（実施例４）
【図６】図６は本発明の足踏み指圧具の第５の実施例の平面を示す説明図である。（実施例５）
【発明を実施するための形態】
【００１１】
指圧刺激用突起部分を半球形の硬質ゴムにより形成することにより、指圧施術師の指による指圧刺激に近い刺激効果を有する足踏み指圧具を実現した。
【実施例１】
【００１２】
図１は、本発明装置の第１の実施例の断面図であって、指圧用突起１０および２０は足裏にあたる部分は半球形であり、それらの位置決めとしての本体２０も含めて硬質ゴムの一体成型により構成される。
【００１３】
図２は、図１の平面を示す図であり、左足用の構成を示しているが、土ふまず部分に相当する指圧用突起１０はそれぞれ１０ａ、１０ｂ、１０ｃよりなり、足指付け根部分の指圧用突起１１はそれぞれ１１ａ、１１ｂ、１１ｃ、１１ｄ、１１ｅよりなる。
【実施例２】
【００１４】
図３は、本発明の第２の実施例の断面図であり、硬質ゴムの球を別のゴム状樹脂２０により包んでいる。平面図は図２と等しい。
【実施例３】
【００１５】
図４は、本発明の第３の実施例を示す断面図であり、図１と同様に硬質ゴムの一体成型により製造されるが、図１よりも成形性がよく、本体２０が床に着くような形状となっているため、踏んでも位置がずれにくくなっている。
【実施例４】
【００１６】
図５は、本発明の第４の実施例を示す断面図であり、硬質ゴムの球１０、２０を本体２０に対して伸縮性の布地などのカバー２１で包み、１０、２０の位置がずれないように必要な数量の留め具３０で止めているが、留め具は糸による縫製などでも可能である。
【００１７】
このようにするメリットは、硬質ゴムの同じ形状の２種類の球１０と１１があればあとは成型が必要ないため、成形用の金型が第１、第２、第３の実施例よりも簡単で済むという点にある。
【実施例５】
【００１８】
図６は、本発明の別の実施例を示す平面図であり、第１、第２、第３の実施例で示す片側の指圧具を左右の一対となし、それらをひも状のつなぎ部分４０で止め具４１にて止めることにより、左右がばらばらにならないようにしたものであり、実際に使用してみると持ち運びやフックへ引っ掛けて収納する際に便利である。
【符号の説明】
【００１９】
１０    足裏の土ふまず部分のツボ押し突起（断面図）
１０ａ、１０ｂ、１０ｃ、１０ｄ    足裏の土ふまず部分のツボ押し突起（平面図）
１１    足裏指付け根部分のツボ押し突起（断面図）
１１ａ、１１ｂ、１１ｃ、１１ｄ、１１ｅ    足裏指付け根部分のツボ押し突起（平面図）
２０    本体
２１    芯
３０    留め具
４０    左右接続ひも
４１    留め具
【図１】
2011004975.tif 000003
【図２】
2011004975.tif 000004
【図３】
2011004975.tif 000005
【図４】
2011004975.tif 000006
【図５】
2011004975.tif 000007
【図６】
2011004975.tif 000008